(57)【要約】ワイヤレスＬＡＮ送信における重複フレームを最適に位相回転させるための方法、デバイス、およびコンピュータプログラム製品が開示される。一態様では、フレームまたはデータユニットの、あるいはフレームまたはデータユニットの一部分のピーク対平均電力比（ＰＡＰＲ）を最小化するために、位相回転シーケンスが選定され得、ここで、フレームは、重複フレームなど、複数の同等の周波数セグメントを含んでいる。本方法は、フレーム帯域幅を選択することと、次いで、フレーム帯域幅に基づいて位相回転シーケンスを選択することとを伴う。本方法は、いくつかの同等の１ＭＨｚ周波数セグメントを含むフレームを生成することと、選択された位相回転シーケンスに基づいて、それらのセグメントのうちのいくつかを他のセグメントに対して回転させることとをさらに含む。本方法は、フレームを送信することをさらに含む。【選択図】図７
2016504839.tif 000002
【特許請求の範囲】
【請求項１】
２ＭＨｚ、４ＭＨｚ、および８ＭＨｚのうちの１つのフレーム帯域幅を選択することと、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
に従って、前記フレーム帯域幅に少なくとも部分的に基づいて位相回転シーケンスを選択することと、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、
を行うように構成されたプロセッサと、
複数の同等の１ＭＨｚ周波数セグメントを有する前記フレームを送信するように構成された送信機と
を備える、ワイヤレス通信装置。
【請求項２】
前記同等の１ＭＨｚ周波数セグメントのうちの少なくとも１つが、前記フレームまたは前記フレームの一部分のピーク対平均電力比を低減するために回転される、請求項１に記載のワイヤレス通信装置。
【請求項３】
前記同等の１ＭＨｚ周波数セグメントのうちの少なくとも１つが、前記フレームのデータ部分およびＬＴＦ部分のうちの少なくとも１つのピーク対平均電力比を低減するために回転される、請求項１に記載のワイヤレス通信装置。
【請求項４】
前記同等の１ＭＨｚ周波数セグメントの各々がパケットのデータセグメントを備える、請求項１に記載のワイヤレス通信装置。
【請求項５】
前記同等の１ＭＨｚ周波数セグメントの各々が、隣接する１ＭＨｚチャネル内で送信される、請求項１に記載のワイヤレス通信装置。
【請求項６】
ワイヤレス通信ネットワーク上で重複フレームを送信する方法であって、
２ＭＨｚ、４ＭＨｚ、および８ＭＨｚのうちの１つのフレーム帯域幅を選択することと、
前記フレーム帯域幅に少なくとも部分的に基づいて位相回転シーケンスを選択することと、ここにおいて位相回転シーケンスを選択することは、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
を備え、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、
複数の同等の１ＭＨｚ周波数セグメントを有する前記フレームを送信することと
を備える、方法。
【請求項７】
前記同等の１ＭＨｚ周波数セグメントのうちの少なくとも１つが、前記フレームまたは前記フレームの一部分のピーク対平均電力比を低減するために回転される、請求項６に記載の方法。
【請求項８】
前記同等の１ＭＨｚ周波数セグメントのうちの少なくとも１つが、前記フレームのデータ部分および／またはＬＴＦ部分のうちの少なくとも１つのピーク対平均電力比を低減するために回転される、請求項６に記載の方法。
【請求項９】
前記同等の１ＭＨｚ周波数セグメントの各々がパケットのデータセグメントを備える、請求項６に記載の方法。
【請求項１０】
前記同等の１ＭＨｚ周波数セグメントの各々が、隣接する１ＭＨｚチャネル内で送信される、請求項６に記載の方法。
【請求項１１】
実行されたとき、ワイヤレス通信ネットワーク上で重複フレームを送信する方法をデバイス内のプロセッサに行わせる複数の命令を備える非一時的コンピュータ可読媒体であって、前記方法は、
２ＭＨｚ、４ＭＨｚ、および８ＭＨｚのうちの１つのフレーム帯域幅を選択することと、
前記フレーム帯域幅に少なくとも部分的に基づいて位相回転シーケンスを選択することと、ここにおいて位相回転シーケンスを選択することは、
前記フレーム帯域幅が２ＭＨｚである場合に、［１  −１］の位相回転シーケンス、または［１  −１］のスケーリングされたバージョンを選択すること、
前記フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、
前記フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択すること
を備え、
前記選択された帯域幅のフレームを生成することと、前記フレームが複数の同等の１ＭＨｚ周波数セグメントを有し、ここにおいて前記同等の１ＭＨｚ周波数セグメントのうちの少なくとも１つは前記選択された位相回転シーケンスに基づいて少なくとも１つの他の同等の１ＭＨｚ周波数セグメントに関して回転される、
複数の同等の１ＭＨｚ周波数セグメントを有する前記フレームを送信することと
を備える、非一時的コンピュータ可読媒体。
【請求項１２】
前記同等の１ＭＨｚ周波数セグメントのうちの少なくとも１つが、前記フレームまたは前記フレームの一部分のピーク対平均電力比を低減するために回転される、請求項１１に記載の非一時的コンピュータ可読媒体。
【請求項１３】
前記同等の１ＭＨｚ周波数セグメントのうちの少なくとも１つが、前記フレームのデータ部分および／またはＬＴＦ部分のうちの少なくとも１つのピーク対平均電力比を低減するために回転される、請求項１１に記載の非一時的コンピュータ可読媒体。
【請求項１４】
前記同等の１ＭＨｚ周波数セグメントの各々がパケットのデータセグメントを備える、請求項１１に記載の非一時的コンピュータ可読媒体。
【請求項１５】
前記同等の１ＭＨｚ周波数セグメントの各々が、隣接する１ＭＨｚチャネル内で送信される、請求項１１に記載の非一時的コンピュータ可読媒体。
【発明の詳細な説明】
【技術分野】
【０００１】
[0001]  本出願は、一般にワイヤレス通信に関し、より詳細には、ワイヤレスローカルエリアネットワーク（ＷＬＡＮ）送信における重複フレーム（duplicate frame）を最適に位相回転させるためのシステム、方法、およびデバイスに関する。本明細書のいくつかの態様は、位相回転（phase rotation）がフレームのピーク対平均電力比（ＰＡＰＲ：peak-to-average power ratio）を低減するように、いくつかの同等の周波数セグメントを含んでいるフレームとともに使用する位相回転を判断することに関する。
【背景技術】
【０００２】
[0002]  多くの電気通信システムでは、通信ネットワークが、いくつかの対話している空間的に分離されたデバイスの間でメッセージを交換するために使用される。ネットワークは、例えば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれるであろう。ネットワークはまた、様々なネットワークノードとデバイスとを相互接続するために使用される交換／ルーティング技法（例えば回線交換対パケット交換）、送信のために採用される物理媒体のタイプ（例えばワイヤード対ワイヤレス）、および使用される通信プロトコルのセット（例えばインターネットプロトコルスイート、ＳＯＮＥＴ（同期光ネットワーキング：Synchronous Optical Networking）、イーサネット（登録商標）など）によって異なる。
【０００３】
[0003]  ワイヤレスネットワークは、しばしば、ネットワーク要素がモバイルであり、従って動的接続性の必要があるときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００４】
[0004]  ワイヤレスネットワーク内のデバイスは、互いの間で情報を送信／受信し得る。その情報は、いくつかの態様ではデータユニットと呼ばれることがある、パケットを備え得る。いくつかのタイプのワイヤレスネットワークでは、いくつかの同等の周波数セグメントを含んでいる重複（ＤＵＰ）フレームを送信することが有用であり得る。例えば、ＤＵＰフレームは、２、４または８ＭＨｚを満たすために１ＭＨｚセグメントを２、４または８回重複させることによって、その帯域幅上で送信される１ＭＨｚセグメントを含んでいるなど、複数の同等の周波数セグメントを含んでいることがある。
【発明の概要】
【０００５】
[0005]  本明細書で説明するシステム、方法、デバイス、およびコンピュータプログラム製品は、それぞれいくつかの態様を有し、それらのうちの単一の態様が単独で本発明の望ましい属性を担当するとは限らない。以下の特許請求の範囲によって表される本発明の範囲を限定することなしに、いくつかの特徴について以下で手短に説明する。この説明を考察すれば、特に「発明を実施するための形態」と題するセクションを読めば、本発明の有利な特徴が、媒体上にデバイスを導入するときの低減された電力消費をどのように含むかが理解されよう。
【０００６】
[0006]  本開示の一態様は、２ＭＨｚ、４ＭＨｚ、および８ＭＨｚのうちの１つのフレーム帯域幅を選択することと、フレーム帯域幅が２ＭＨｚである場合に、［１  −１］の位相回転シーケンス、または［１  −１］のスケーリングされたバージョンを選択すること、フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいて、ｊは−１の平方根である、フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することに従って、フレーム帯域幅に少なくとも部分的に基づいて位相回転シーケンスを選択することと、選択された帯域幅のフレームを生成することと、そのフレームが複数の同等の１ＭＨｚ周波数セグメントを有し、ここにおいて同等の周波数セグメントのうちの少なくとも１つは選択された位相回転シーケンスに基づいて少なくとも１つの他の同等の周波数セグメントに関して回転される、を行うように構成されたプロセッサを備えるワイヤレス通信装置を提供する。本デバイスはまた、複数の同等の周波数セグメントを有するフレームを送信するように構成された送信機を含む。
【０００７】
[0007]  一態様では、ワイヤレス通信ネットワーク上で重複フレームを送信する方法であって、２ＭＨｚ、４ＭＨｚ、および８ＭＨｚのうちの１つのフレーム帯域幅を選択することと、フレーム帯域幅に少なくとも部分的に基づいて位相回転シーケンスを選択することと、ここにおいて位相回転シーケンスを選択することはフレーム帯域幅が２ＭＨｚである場合に、［１  −１］の位相回転シーケンス、または［１  −１］のスケーリングされたバージョンを選択すること、フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することを備え、選択された帯域幅のフレームを生成することと、そのフレームが複数の同等の１ＭＨｚ周波数セグメントを有し、ここにおいて同等の周波数セグメントのうちの少なくとも１つは選択された位相回転シーケンスに基づいて少なくとも１つの他の同等の周波数セグメントに関して回転される、複数の同等の周波数セグメントを有するフレームを送信することとを備える方法が開示される。
【０００８】
[0008]  一態様では、実行されたとき、ワイヤレス通信ネットワーク上で重複フレームを送信する方法をデバイス内のプロセッサに行わせる複数の命令を備える非一時的コンピュータ可読媒体であって、本方法が、２ＭＨｚ、４ＭＨｚ、および８ＭＨｚのうちの１つのフレーム帯域幅を選択することと、フレーム帯域幅に少なくとも部分的に基づいて位相回転シーケンスを選択することと、ここにおいて位相回転シーケンスを選択することは、フレーム帯域幅が２ＭＨｚである場合に、［１  −１］の位相回転シーケンス、または［１  −１］のスケーリングされたバージョンを選択すること、フレーム帯域幅が４ＭＨｚである場合に、［１  ｊ  −ｊ  −１］の位相回転シーケンス、または［１  ｊ  −ｊ  −１］のスケーリングされたバージョンを選択すること、ここにおいてｊは−１の平方根である、フレーム帯域幅が８ＭＨｚである場合に、［１  −１  １  １  １  １  −１  −１］の位相回転シーケンス、または［１  −１  １  １  １  １  −１  −１］のスケーリングされたバージョンを選択することを備え、選択された帯域幅のフレームを生成することと、そのフレームが複数の同等の１ＭＨｚ周波数セグメントを有し、ここにおいて同等の周波数セグメントのうちの少なくとも１つは選択された位相回転シーケンスに基づいて少なくとも１つの他の同等の周波数セグメントに関して回転される、複数の同等の周波数セグメントを有するフレームを送信することとを備える、非一時的コンピュータ可読媒体が開示される。
【図面の簡単な説明】
【０００９】
【図１】本開示の態様が採用され得るワイヤレス通信システムの一例を示す。
【図２】図１のワイヤレス通信システム内で採用され得る例示的なワイヤレスデバイスの機能ブロック図を示す。
【図３】ワイヤレス通信を送信するために図２のワイヤレスデバイスにおいて利用され得る例示的な構成要素の機能ブロック図を示す。
【図４】ワイヤレス通信を受信するために図２のワイヤレスデバイスにおいて利用され得る例示的な構成要素の機能ブロック図を示す。
【図５】物理レイヤデータユニットの一例を示す。
【図５Ａ】同等であるが、一方の波がπ／２だけ位相回転されている２つの波の図である。
【図６Ａ】２つの基準のうちの１つに基づいて最適化された２、４および８ＭＨｚ帯域幅における位相回転シーケンスと、得られたピーク対平均電力比（ＰＡＰＲ）値とのチャートを示す。
【図６Ｂ】２つの基準のうちの１つに基づいて最適化された２、４および８ＭＨｚ帯域幅における位相回転シーケンスと、得られたＰＡＰＲ値とのチャートを示す。
【図６Ｃ】２つの基準のうちの１つに基づいて最適化された２、４および８ＭＨｚ帯域幅における位相回転シーケンスと、得られたＰＡＰＲ値とのチャートを示す。
【図７】重複フレームを生成し、送信するための例示的な方法の一態様のフローチャートを示す。
【発明を実施するための形態】
【００１０】
[0019]  「例示的」という単語は、本明細書では「例、事例、または例示の働きをすること」を意味するために使用する。本明細書で「例示的」と記載されたいかなる実施形態も、必ずしも他の実施形態よりも好ましいまたは有利であると解釈されるべきであるとは限らない。添付の図面を参照しながら、新規のシステム、装置、および方法の様々な態様について以下でより十分に説明する。但し、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせて実装されるにせよ、本明細書で開示する新規のシステム、装置、および方法のいかなる態様をもカバーするものであることを、当業者なら諒解されたい。例えば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示するどの態様も請求項の１つまたは複数の要素によって実施され得ることを理解されたい。
【００１１】
[0020]  本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００１２】
[0021]  ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。例えば、本明細書で説明する様々な態様は、サブ１ＧＨｚ（「Ｓ１Ｇ」）帯域の使用を含むＩＥＥＥ８０２．１１ａｈプロトコルの一部として使用され得る。
【００１３】
[0022]  いくつかの態様では、サブギガヘルツ帯域中のワイヤレス信号が、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、例えば約１キロメートル以上にわたってワイヤレス信号を送信するために使用され得る。
【００１４】
[0023]  いくつかの実装形態では、ＷＬＡＮが、ワイヤレスネットワークにアクセスする構成要素である様々なデバイスを含む。例えば、２つのタイプのデバイス、すなわちアクセスポイント（「ＡＰ」）および（局とも呼ばれ、一般に「ＳＴＡ」として知られる）クライアントが存在し得る。概して、ＡＰはＷＬＡＮのためのハブまたは基地局として働き、ＳＴＡはＷＬＡＮのユーザとして働く。例えば、ＳＴＡはラップトップコンピュータ、携帯情報端末（ＰＤＡ）、モバイルフォンなどであり得る。一例では、ＳＴＡが、インターネットまたは他のワイドエリアネットワークへの一般的接続性を取得するためにＷｉＦｉ（例えば、８０２．１１ａｈなどのＩＥＥＥ８０２．１１プロトコル）準拠ワイヤレスリンクを介してＡＰに接続する。いくつかの実装形態では、ＳＴＡがＡＰとして使用されることもある。
【００１５】
[0024]  アクセスポイント（「ＡＰ」）はまた、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１６】
[0025]  また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末が、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備え得る。従って、本明細書で教示する１つまたは複数の態様は、電話（例えば、セルラーフォンまたはスマートフォン）、コンピュータ（例えば、ラップトップ）、ポータブル通信デバイス、ヘッドセット、ポータブルコンピューティングデバイス（例えば、個人情報端末）、エンターテインメントデバイス（例えば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１７】
[0026]  上記で説明したように、本明細書で説明するデバイスのいくつかは、例えば、８０２．１１ａｈ規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、例えばパーソナルヘルスケアのためにヘルスケアコンテキストにおいて使用され得る。それらのデバイスはまた、（例えば、ホットスポットとともに使用する）拡張された範囲のインターネット接続性を可能にするために、またはマシンツーマシン通信を実装するために、監視のために使用され得る。
【００１８】
[0027]  図１に、本開示の態様が採用され得るワイヤレス通信システム１００の一例を示す。ワイヤレス通信システム１００は、ワイヤレス規格、例えば８０２．１１ａｈ規格に従って動作し得る。ワイヤレス通信システム１００は、ＳＴＡ１０６と通信するＡＰ１０４を含み得る。
【００１９】
[0028]  様々なプロセスおよび方法が、ＡＰ１０４とＳＴＡ１０６との間の、ワイヤレス通信システム１００における送信のために使用され得る。例えば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２０】
[0029]  ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２１】
[0030]  ＡＰ１０４は、基地局として働き、基本サービスエリア（ＢＳＡ）１０２においてワイヤレス通信カバレージを与え得る。ＡＰ１０４は、ＡＰ１０４に関連付けられ、また通信のためにＡＰ１０４を使用する、ＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。従って、本明細書で説明するＡＰ１０４の機能は、代替的に、ＳＴＡ１０６のうちの１つまたは複数によって行われ得る。
【００２２】
[0031]  図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。例えば、ワイヤレスデバイス２０２は、ＡＰ１０４を備えるか、またはＳＴＡ１０６のうちの１つを備え得る。
【００２３】
[0032]  ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、複数の命令およびデータをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶された複数のプログラム命令に基づいて論理および算術演算を行う。メモリ２０６における複数の命令は、本明細書で説明する方法を実施するために実行可能であり得る。
【００２４】
[0033]  プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を行い得る任意の他の好適なエンティティの任意の組合せを用いて実装され得る。
【００２５】
[0034]  処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。複数の命令は、（例えば、ソースコード形式、バイナリコード形式、実行可能コード形式、または任意の他の好適なコード形式の）コードを含み得る。これら命令は、１つまたは複数のプロセッサによって実行されたとき、本明細書で説明する様々な機能を処理システムに行わせる。
【００２６】
[0035]  ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得る（図示せず）。
【００２７】
[0036]  ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度、および他の信号として検出し得る。ワイヤレスデバイス２０２はまた、信号を処理する際に使用するデジタル信号プロセッサ（ＤＳＰ）２２０を含み得る。ＤＳＰ２２０は、送信のためのデータユニットを生成するように構成され得る。いくつかの態様では、データユニットが物理レイヤデータユニット（ＰＰＤＵ：physical layer data unit）を備え得る。いくつかの態様では、ＰＰＤＵはパケットと呼ばれる。
【００２８】
[0037]  ワイヤレスデバイス２０２は、いくつかの態様で、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００２９】
[0038]  ワイヤレスデバイス２０２の様々な構成要素は、バスシステム２２６によって互いに結合され得る。バスシステム２２６は、例えば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを、当業者は諒解されよう。
【００３０】
[0039]  図２には、いくつかの別個の構成要素が示されているが、構成要素のうちの１つまたは複数が組み合わせられ得るかまたは共通に実装され得ることを当業者は認識されよう。例えば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００３１】
[0040]  上記で説明したように、ワイヤレスデバイス２０２は、ＡＰ１０４またはＳＴＡ１０６を備え得、通信を送信および／または受信するために使用され得る。図３に、ワイヤレス通信を送信するためにワイヤレスデバイス２０２において利用され得る送信機モジュール３００を示す。図３に示された構成要素は、例えば、ＯＦＤＭ通信を送信するために使用され得る。
【００３２】
[0041]  送信機モジュール３００は、送信のためにビットを変調するように構成された変調器３０２を備え得る。例えば、送信機モジュール３００が図２のワイヤレスデバイス２０２の構成要素として使用される場合、変調器３０２は、例えばコンスタレーションに従ってビットを複数のシンボルにマッピングすることによって、プロセッサ２０４またはユーザインターフェース２２２から受信されたビットから複数のシンボルを判断し得る。それらのビットは、ユーザデータまたは制御情報に対応し得る。いくつかの態様では、それらのビットがコードワードにおいて受信される。一態様では、変調器３０２が、ＱＡＭ（直交振幅変調：quadrature amplitude modulation）変調器、例えば１６ＱＡＭ変調器または６４ＱＡＭ変調器を備える。他の態様では、変調器３０２が、２位相シフトキーイング（ＢＰＳＫ：binary phase-shift keying）変調器または４位相シフトキーイング（ＱＰＳＫ：quadrature phase-shift keying）変調器を備える。
【００３３】
[0042]  送信機モジュール３００は、変調器３０２からのシンボルまたはさもなければ変調されたビットを時間領域に変換するように構成された変換モジュール３０４をさらに備え得る。図３では、変換モジュール３０４が、逆高速フーリエ変換（ＩＦＦＴ：inverse fast Fourier transform）モジュールによって実装されるものとして示されている。いくつかの実装形態では、異なるサイズのデータのユニットを変換する複数の変換モジュール（図示せず）があり得る。
【００３４】
[0043]  図３では、変調器３０２と変換モジュール３０４が、ＤＳＰ３２０に実装されるものとして示されている。しかしながら、いくつかの態様では、変調器３０２と変換モジュール３０４の一方または両方は、プロセッサ２０４内のような、ワイヤレスデバイス２０２の他の構成要素内に実装され得る。
【００３５】
[0044]  概して、ＤＳＰ３２０は、送信のためのデータユニットを生成するように構成され得る。いくつかの態様では、変調器３０２および変換モジュール３０４が、制御情報を含む複数のフィールドと複数のデータシンボルとを備えるデータユニットを生成するように構成され得る。制御情報を含むそれらのフィールドは、例えば、１つまたは複数のトレーニングフィールドと、１つまたは複数の信号（ＳＩＧ）フィールドとを備え得る。トレーニングフィールドの各々は、ビットまたはシンボルの既知のシーケンスを含み得る。ＳＩＧフィールドの各々は、データユニットに関する情報、例えばデータユニットの長さまたはデータレートの記述を含み得る。
【００３６】
[0045]  図３の説明に戻ると、送信機モジュール３００は、変換モジュールの出力をアナログ信号に変換するように構成されたデジタルアナログ変換器３０６をさらに備え得る。例えば、変換モジュール３０６の時間領域出力は、デジタルアナログ変換器３０６によってベースバンドＯＦＤＭ信号に変換され得る。いくつかの態様では、送信機モジュール３００の一部が、図２からのワイヤレスデバイス２０２内に含まれ得る。例えば、デジタルアナログ変換器３０６は、プロセッサ２０４、トランシーバ２１４内、またはワイヤレスデバイス２０２の別の要素内に実装され得る。
【００３７】
[0046]  アナログ信号は送信機３１０によってワイヤレス送信され得る。アナログ信号は、送信機３１０によって送信される前に、例えばフィルタ処理されることによってあるいは中間またはキャリア周波数にアップコンバートされることによって、さらに処理され得る。図３に示された態様では、送信機３１０が送信増幅器３０８を含む。送信されるより前に、アナログ信号は送信増幅器３０８によって増幅され得る。いくつかの態様では、増幅器３０８が低雑音増幅器（ＬＮＡ）を備える。
【００３８】
[0047]  送信機３１０は、アナログ信号に基づいてワイヤレス信号で１つまたは複数のパケットまたはデータユニットを送信するように構成される。それらのデータユニットは、プロセッサおよび／またはＤＳＰ３２０を使用して、例えば上記で説明したように変調器３０２と変換モジュール３０４とを使用して、生成され得る。上記で説明したように生成され、送信され得るデータユニットについて、図５〜図７に関して以下でさらに詳細に説明する。
【００３９】
[0048]  図４に、ワイヤレス通信を受信するためにワイヤレスデバイス２０２において利用され得る受信モジュール４００を示す。図４に示された構成要素は、例えば、ＯＦＤＭ通信を受信するために使用され得る。いくつかの態様では、図４に示された構成要素が、以下でさらに詳細に説明するように、１つまたは複数のトレーニングフィールドを含むデータユニットを受信するために使用される。例えば、図４に示された構成要素は、図３に関して上記で説明した構成要素によって送信されたデータユニットを受信するために使用され得る。
【００４０】
[0049]  受信機４１２は、ワイヤレス信号内の１つまたは複数のパケットまたはデータユニットを受信するように構成される。以下で説明するように受信され、復号され、またはさもなければ処理され得るデータユニットについて、図５〜図７に関してさらに詳細に説明する。
【００４１】
[0050]  図４に示された態様では、受信機４１２が受信増幅器４０１を含む。受信増幅器４０１は、受信機４１２によって受信されたワイヤレス信号を増幅するように構成され得る。いくつかの態様では、受信機４１２が、自動利得制御（ＡＧＣ：automatic gain control）プロシージャを使用して受信増幅器４０１の利得を調整するように構成される。いくつかの態様では、自動利得制御が、例えば、利得を調整するために、受信されたショートトレーニングフィールド（ＳＴＦ：short training field）など、１つまたは複数の受信されたトレーニングフィールド内の情報を使用する。当業者は、ＡＧＣを行うための方法を理解されよう。いくつかの態様では、増幅器４０１がＬＮＡを備える。
【００４２】
[0051]  受信モジュール４００は、受信機４１２からの増幅されたワイヤレス信号をそれのデジタル表現に変換するように構成されたアナログデジタル変換器４０２を備え得る。増幅されることに加えて、ワイヤレス信号は、デジタルアナログ変換器４０２によって変換される前に、例えばフィルタ処理されることによってあるいは中間またはベースバンド周波数にダウンコンバートされることによって、処理され得る。いくつかの態様では、アナログデジタル変換器４０２が、図２のプロセッサ２０４、トランシーバ２１４内、またはワイヤレスデバイス２０２の別の要素内に実装され得る。
【００４３】
[0052]  受信モジュール４００は、ワイヤレス信号表現を周波数スペクトルに変換するように構成された変換モジュール４０４をさらに備え得る。図４では、変換モジュール４０４が、高速フーリエ変換（ＦＦＴ：fast Fourier transform）モジュールによって実装されるものとして示されている。いくつかの態様では、変換モジュールが、それが使用する各点についてシンボルを識別し得る。
【００４４】
[0053]  受信モジュール４００は、データユニットがそれを介して受信されるチャネルの推定値を形成することと、チャネル推定値に基づいてチャネルのいくつかの影響を除去することとを行うように構成された、チャネル推定器および等化器４０５をさらに備え得る。例えば、チャネル推定器は、チャネルの関数を近似するように構成され得、チャネル等化器は、その関数の逆を周波数スペクトルにおけるデータに適用するように構成され得る。
【００４５】
[0054]  いくつかの態様では、チャネル推定器および等化器４０５が、例えば、チャネルを推定するために、ロングトレーニングフィールド（ＬＴＦ：long training field）など、１つまたは複数の受信されたトレーニングフィールド内の情報を使用する。チャネル推定値は、データユニットの始端において受信された１つまたは複数のＬＴＦに基づいて形成され得る。このチャネル推定値は、その後、上記１つまたは複数のＬＴＦに続くデータシンボルを等化するために使用され得る。一定の時間期間の後にまたは一定数のデータシンボルの後に、データユニットにおいて１つまたは複数の追加のＬＴＦが受信され得る。追加のＬＴＦを使用して、チャネル推定値は更新され得、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値が、追加のＬＴＦに先行するデータシンボルを再等化するために使用される。当業者は、チャネル推定値を形成するための方法を理解されよう。
【００４６】
[0055]  受信モジュール４００は、等化されたデータを復調するように構成された復調器４０６をさらに備え得る。例えば、復調器４０６は、例えばコンスタレーションにおけるシンボルへのビットのマッピングを逆転させることによって、変換モジュール４０４とチャネル推定器および等化器４０５とによって出力されたシンボルから複数のビットを判断し得る。いくつかの態様では、受信モジュール４００がワイヤレスデバイス２０２の一部分として実装される場合、それらのビットは、プロセッサ２０４によって処理または評価され得るか、あるいはユーザインターフェース２２２に情報を表示するかまたはさもなければ出力するために使用され得る。このようにして、データおよび／または情報が復号され得る。いくつかの態様では、それらのビットがコードワードに対応する。一態様では、復調器４０６が、ＱＡＭ（直交振幅変調）復調器、例えば１６ＱＡＭ復調器または６４ＱＡＭ復調器を備える。他の態様では、復調器４０６が、２位相シフトキーイング（ＢＰＳＫ）復調器または４位相シフトキーイング（ＱＰＳＫ）復調器を備える。
【００４７】
[0056]  図４では、変換モジュール４０４と、チャネル推定器および等化器４０５と、復調器４０６とが、ＤＳＰ４２０内に実装されるものとして示されている。しかしながら、いくつかの態様では、変換モジュール４０４、チャネル推定器および等化器４０５、および復調器４０６のうちの１つまたは複数が、プロセッサ２０４内などのような、ワイヤレスデバイス２０２の別の構成要素内に実装され得る。
【００４８】
[0057]  上記で説明したように、受信機４１２において受信されたワイヤレス信号は、１つまたは複数のデータユニットを備える。これらのデータユニットは、上記で説明した構成要素を使用して、復号、評価および／または処理され得る。例えば、プロセッサおよび／またはＤＳＰ４２０は、変換モジュール４０４と、チャネル推定器および等化器４０５と、復調器４０６とを使用して、データユニット内のデータシンボルを復号するために使用され得る。
【００４９】
[0058]  ＡＰ１０４とＳＴＡ１０６とによって交換されるデータユニットは、制御情報またはデータを含み得る。物理（ＰＨＹ）レイヤにおいて、これらのデータユニットは物理レイヤプロトコルデータユニット（ＰＰＤＵ：physical layer protocol data unit）と呼ばれることがある。いくつかの態様では、ＰＰＤＵがパケットまたは物理レイヤパケットと呼ばれることがある。各ＰＰＤＵはプリアンブルとペイロードとを備え得る。プリアンブルはトレーニングフィールドとＳＩＧフィールドとを含み得る。例えば、トレーニングフィールドは、１つまたは複数のロングトレーニングフィールド（ＬＴＦ）と１つまたは複数のショートトレーニングフィールド（ＳＴＦ）とを含み得る。ペイロードは、メディアアクセス制御（ＭＡＣ）ヘッダおよび／またはユーザデータを備え得る。ペイロードは、ＢＰＳＫシンボルまたはＱＰＳＫシンボルなど、１つまたは複数のデータシンボルを使用して送信され得る。
【００５０】
[0059]  図５に、データユニット５００の一例を示す。データユニット５００は、ワイヤレスデバイス２０２とともに使用するＰＰＤＵを備え得る。データユニット５００は、レガシーデバイス、またはＩＥＥＥ８０２．１１規格の前のバージョンなどのレガシー規格を実装するデバイスによって使用され得る。
【００５１】
[0060]  データユニット５００はプリアンブル５１０を含む。プリアンブル５１０は、可変数の反復ＳＴＦ５１２シンボルと、１つまたは複数のＬＴＦ５１４シンボルとを備え得る。一実装形態では、１０反復ＳＴＦ５１２シンボルが送られ、それに続いて２つのＬＴＦ５１４シンボルが送られ得る。送信されたＳＴＦ５１２シンボルは、上記で説明したように、受信増幅器４０１の利得を調整するために自動利得制御を行うために、受信機４１２によって使用され得る。さらに、送信されたＳＴＦ５１２シンボルは、パケット検出、粗いタイミング、および他の設定のために受信機４１２によって使用され得る。送信されたＬＴＦ５１４シンボルは、データユニット５００がそれを介して受信されるチャネルの推定値を形成するために、チャネル推定器および等化器４０５によって使用され得る。
【００５２】
[0061]  データユニット５００においてプリアンブル５１０の後に信号フィールド５２０が続く。信号フィールド５２０は、長さが１ＯＦＤＭシンボルであり得、送信レート、データユニット５００の長さなどに関係する様々な情報を含み得る。信号フィールド５２０に続いて、データユニット５００は、ＯＦＤＭデータシンボルなど、可変数のデータシンボル５３０をさらに含む。送信される必要があるデータの量に基づいて、任意の数のデータシンボル５３０がデータユニット５００において送信され得る。
【００５３】
[0062]  データユニット５００が受信モジュール４００において受信されたとき、ＬＴＦ５１４を含むデータユニット５００のサイズが信号フィールド５２０に基づいて計算され得、ＳＴＦ５１２は、受信増幅器４０１の利得を調整するために受信機４１２によって使用され得る。さらに、ＬＴＦ５１４は、データユニット５００がそれを介して受信されるチャネルの推定値を形成するために、チャネル推定器および等化器４０５によって使用され得る。チャネル推定値は、プリアンブル５１０に続く複数のデータシンボル５２２を復号するためにＤＳＰ２２０によって使用され得る。
【００５４】
[0063]  図５に示されたデータユニット５００は、システム１００においておよび／またはワイヤレスデバイス２０２とともに使用され得るデータユニットの一例にすぎない。より多いまたはより少ない数のＳＴＦ４１２シンボル、ＬＴＦ５１４シンボル、およびデータシンボル５３０がデータユニット５００内に含まれ得ることを、当業者は諒解されよう。さらに、図５に示されていない１つまたは複数のシンボルまたはフィールドがデータユニット５００内に含まれ得、図示されたフィールドまたはシンボルのうちの１つまたは複数は省略され得る。
【００５５】
[0064]  ＯＤＦＭを使用して送信するとき、いくつかの異なる直交サブキャリアが、情報を送信するために使用され得る。例えば、使用されるサブキャリアの数は様々な考慮事項に依存し得る。これらの考慮事項は、使用のための利用可能な周波数帯域と、利用可能な帯域幅と、関連する規制制約とを含む。各サブキャリアは、送信されるべきＯＦＤＭ信号を作成するためのＩＦＦＴモジュールへの入力であるので、ＯＦＤＭ通信において使用されるサブキャリアの数はＦＦＴモジュールのサイズに相関する。従って、いくつかの実装形態では、より大きいＦＦＴサイズ（例えば、６４、１２８、２５６、または５１２個の入力をもつＦＦＴモジュール）が、情報を送信するためにより多くのサブキャリアが使用されることを可能にするので、より大きい帯域幅を達成するために、そのようなより大きいＦＦＴサイズが望まれ得る。他の実装形態では、狭い帯域幅中でデータを送信するために、より小さいＦＦＴサイズが使用され得る。サブキャリアの数、従って、ＦＦＴサイズはまた、いくつかの帯域幅制限を有し得るいくつかの規制領域に準拠するように選定され得る。いくつかの態様では、ＩＥＥＥ８０２．１１ａｈ規格が、各１ＭＨｚの帯域幅のために３２のＦＦＴサイズが使用され得ることを規定している。ワイヤレスデバイス２０２は、ワイヤレスデバイスが様々な数のサブキャリアを用いてメッセージを送信および受信することを可能にするために、異なるサイズのいくつかの変換モジュール３０４を含み得る。いくつかの態様では、これらの変換モジュール３０４がＦＦＴまたはＩＦＦＴモジュールとして実装され得る。いくつかの態様では、変換モジュール３０４のうちの少なくとも１つが、本明細書で説明するいくつかの態様によれば、３２点サイズＩＦＦＴまたはＦＦＴモジュールであり得る。
【００５６】
[0065]  サブキャリアの数は、各サブキャリアを識別するためのインデックスにサブキャリアをマッピングするために使用されるスペクトル線によって特徴づけられ得る。スペクトル線は、負の範囲および正の範囲の各々上でサブキャリアの半分が表される、負および正の範囲にわたるインデックスを定義し得る。例えば、６４個のサブキャリアの場合、各サブキャリアは、スペクトル線を定義するために−３２から３１までのインデックスにマッピングされ得る。３２個のサブキャリア（すなわち、トーン）を使用するとき、スペクトル線は、各サブキャリアを−１６から１５までのインデックスにマッピングするように定義され得る。
【００５７】
[0066]  使用されるサブキャリアの数、従って、ＦＦＴサイズは、上記で説明したように、送信されるＳＴＦ５１２およびＬＴＦ５１４などのトレーニングシーケンスのサイズを決定し得る。例えば、ＳＴＦ５１２シンボルおよびＬＴＦ５１４シンボルは、データユニットにおいて使用されるサブキャリアの各々上で送信され得る。従って、より多くのサブキャリアを使用するデータユニットは、より多くのサブキャリアを同じく使用するＳＴＦ５１２シンボルとＬＴＦ５１４シンボルとを含んでいることがある。
【００５８】
[0067]  ワイヤレスネットワーク上で送られる各データユニットは、それのピーク対平均電力比（ＰＡＰＲ）によって特徴づけられ得る。ＰＡＰＲは、ＯＦＤＭ信号の振幅の２乗平均（root-mean-square）で除算されたＯＦＤＭ信号のピーク振幅として定義され得る。例えば、ＯＦＤＭ信号は次のように表され得る。
【数１】
2016504839.tif 000003
【００５９】
上式で、Ｘｋはデータシンボルを表し、Ｎはサブキャリアの数であり、ＴはＯＦＤＭシンボルのための時間である。ＰＡＰＲは次のように計算され得る。
【数２】
2016504839.tif 000004
【００６０】
上式で、Ｅは、信号の２乗平均値のための関数を定義する。
【００６１】
[0068]  ＯＦＤＭ信号は、各々が異なる振幅をもつ多数のシンボルの組合せであり得るので、ＯＦＤＭ信号についてのＰＡＰＲ値はかなり大きくなり得る。より高いＰＡＰＲ値は、問題になり得るＯＦＤＭ信号のひずみをもたらし得る。例えば、信号が、電力増幅器（ＰＡ）３０８など、受信デバイス上の非線形構成要素を通過する場合に、より高いＰＡＰＲ値をもつＯＦＤＭ信号は信号ひずみを受け得る。この信号ひずみにより、信号内の雑音が増加し得、またサブキャリア間の干渉が生じ得る。従って、より高いＰＡＰＲ値をもつそのようなＯＦＤＭ信号の有効範囲は低減され得る。従って、可能な場合に、より低いＰＡＰＲ値をもつＯＦＤＭ信号を送信することが有益であり得る。
【００６２】
[0069]  いくつかの実施形態では、いくつかの同等の周波数セグメントから構成されたフレームである重複（ＤＵＰ）フレームを送信することが有益であり得る。例えば、ＤＵＰフレームは、他のワイヤレスデバイスがワイヤレス媒体において同時に送信することなしに、ワイヤレスデバイスが送信することを可能にするために、ワイヤレス媒体をクリアするために有用であり得る。例えば、ワイヤレスネットワークにおいて、デバイスは、パケットを送るためのタイムスロットを要求するために、Ｒｅｑｕｅｓｔ  ｔｏ  Ｓｅｎｄ（ＲＴＳ）メッセージを送信し得る。応答して、ＡＰまたは別のデバイスは、所与の持続時間について特定のデバイスのためにワイヤレス媒体を予約し得るＣｌｅａｒ  ｔｏ  Ｓｅｎｄ（ＣＴＳ）メッセージを送信し得る。従って、できるだけ多くのデバイスがこの予約済み時間中にワイヤレス媒体上で情報を送信するのを控え得るように、これらのデバイスがこれらのメッセージを受信することが可能であることが望ましいことがある。いくつかの態様では、低帯域幅デバイスが、ＡＰによっておよび他のワイヤレスデバイスによって使用されている総帯域幅の一部分上でのみメッセージを受信することが可能であり得る。例えば、ＩＥＥＥ  ８０２．１１ａｈ規格では、８ＭＨｚ帯域幅上で情報を送信および受信できるいくつかのデバイスがあり得る。しかしながら、その８ＭＨｚ帯域幅の単一の１ＭＨｚ部分上でのみ情報を送信および受信できる他のデバイスがあり得る。これらのデバイスは、いくつかの低電力デバイスを含み得る。従って、いくつかの態様では、ＤＵＰフレームを使用してＲＴＳ−ＣＴＳメッセージを送信することが有益であり得、ここにおいて１ＭＨｚ  ＲＴＳ−ＣＴＳメッセージは８ＭＨｚ帯域幅の各１ＭＨｚ部分上で送信される。このＤＵＰフレームは、各低電力１ＭＨｚデバイスが、その低電力デバイスが８ＭＨｚ帯域幅のどの１ＭＨｚ部分を使用しているかにかかわらず、ＲＴＳ−ＣＴＳメッセージを受信することを可能にし得る。
【００６３】
[0070]  従って、ＩＥＥＥ  ８０２．１１ａｈ規格は、ＤＵＰフレームがいくつかの同等の１ＭＨｚ周波数セグメント部分から構成され得る、１ＭＨｚ  ＤＵＰフレームフォーマットを採用している。例えば、いくつかの実施形態では、２、４または８ＭＨｚ  ＤＵＰフレームが、２、４または８つの同等の１ＭＨｚ周波数セグメントを使用して構成され得る。ＤＵＰフレームは、上記で説明したように、ＲＴＳ−ＣＴＳメッセージを送信するために使用され得る。この目的のためのＤＵＰフレームの使用は、低帯域デバイスが、ＲＴＳ−ＣＴＳメッセージを受信し、従って、ＣＴＳメッセージにおいて示された持続時間の間ＣＴＳメッセージに従うことを可能にし得る。例えば、８ＭＨｚ送信より前に、ＣＴＳフレームなど、８ＭＨｚ  ＤＵＰフレームを送信することが有益であり得る。これは、別のデバイスが同じ帯域幅を使用して送信することを試みることなしに、デバイスが８ＭＨｚ帯域幅上で送信し得るように、全８ＭＨｚ帯域幅をクリアし得る。
【００６４】
[0071]  しかしながら、ＤＵＰフレームは、２、４または８つの同等の１ＭＨｚ周波数セグメントを含んでいることがあるので、ＤＵＰフレームを送信することにより、極めて大きいＰＡＰＲ値が生じ得る。これらの周波数セグメントは互いに同等であるので、それらは強め合うように加算され、従って、ＤＵＰフレームについてのＰＡＰＲレベルは極めて高くなり得る。このより高いＰＡＰＲレベルは、増加した雑音とサブキャリア間の干渉とをもたらし得る信号ひずみを回避するために、より高いＰＡバックオフでデバイスを動作させ得る。しかしながら、より高いＰＡバックオフで動作することにより、ＰＡの電力付加効率がより低くなり、従って、デバイスのためのバッテリー消費量がより多くなり得るので、これはまた問題になる。いくつかの態様では、各１ＭＨｚ周波数セグメントが３２個のサブキャリアを含んでいることがある。従って、低減されたＰＡＰＲをもつ、３２サブキャリア、１ＭＨｚの同等の周波数セグメントから構成されたＤＵＰフレームを与えることが可能なシステムおよび方法を提供することが望まれる。
【００６５】
[0072]  いくつかの実施形態では、位相回転によってＤＵＰフレームのＰＡＰＲを低減することが有益であり得る。例えば、ＤＵＰフレームは、いくつかの１ＭＨｚの同等の周波数セグメントなど、いくつかの同等の周波数セグメントを含む。各セグメントが同等である場合、これらのセグメントは、互いに送信されるときに強め合うように加算され得る。しかしながら、いくつかのセグメントが他のセグメントに関して回転された場合、この位相回転は、ＤＵＰフレームの信号が強め合うように加算されることを防ぎ得、従って、信号のＰＡＰＲ値を低減し、デバイスが、より効率的に、より低いＰＡバックオフで動作することを可能にし得る。
【００６６】
[0073]  概して、位相回転シーケンスは、データパケットのある部分の位相を、同じデータパケットの別の部分に関して変え得る。そのようなシーケンスは、送信された値を１、−１、ｊ、または−ｊの位相回転係数で回転させ得、ここで、ｊは−１の平方根である。１の位相回転係数は信号の位相を変更しないことがある。−１の位相回転係数は、信号の位相をπラジアンまたは１８０°だけ変更し得る。ｊの位相回転係数は、信号の位相をπ／２ラジアンまたは９０°だけ変更し得る。−ｊの位相回転係数は、信号の位相を−π／２ラジアンまたは−９０°だけ変更し得る。受信デバイスが、使用された位相回転シーケンスに気づいている限り、回転された部分をもつパケットで送信されたデータを復号するために回転係数を使用することは簡単であり得る。例えば、いくつかの態様では、いくつかの位相回転が、電磁波の位相を−π／２、０、π／２、またはπラジアンだけ変えることと等価であり得る。ＤＵＰフレームでは、いくつかの異なるサブキャリアが、互いに重複した値を含んでいる。例えば、８つの重複した１ＭＨｚ周波数セグメントを含んでいる８ＭＨｚ  ＤＵＰフレームでは、各サブキャリアが、８つの１ＭＨｚ周波数セグメントの各々において１回ずつ、８回重複され得る。各周波数セグメントが同じ位相で送信される場合、これらの重複したサブキャリアは強め合うように加算され、パケットについてのＰＡＰＲ値を増加させ得る。しかしながら、これらの１ＭＨｚ周波数セグメントのうちのいくつかが、それらの位相を他の１ＭＨｚ周波数セグメントに関して回転された場合、重複したサブキャリアのそのような強め合う加算は回避され得る。例えば、図５Ａは、同等であるが、一方の波がπ／２だけ位相回転されている、２つの波の図５５０である。例えば、第１の波５６０は、第２の波５７０に関してπ／２だけ位相シフトされている。同様に、ＤＵＰフレームのいくつかの周波数セグメントは、ＤＵＰフレームの他の周波数セグメントに関して位相回転され得る。
【００６７】
[0074]  ＤＵＰフレームのいくつかの同等の周波数セグメントを回転させるための複数の命令を与え得る位相回転シーケンスは、いくつかの方法で構成され得る。例えば、データユニット５００などのデータユニットのいくつかの部分のＰＡＰＲを最小化する位相回転シーケンスを計算することが望ましいことがある。ＤＵＰフレームでは、データユニットの１つまたは複数の部分または全ての部分が重複され得る。２、４または８ＭＨｚ  ＤＵＰフレームで、これは、１ＭＨｚ周波数セグメントが２、４または８回重複されることを必要とし得る。従って、データユニットのいくつかの部分についてのＰＡＰＲを最小化する位相回転シーケンスを計算することが望ましいことがある。例えば、データユニット５００のＬＴＦ５１４など、データユニットのＬＴＦ部分についてのＰＡＰＲを低減する位相回転シーケンスが計算され得る。代替的に、データユニットのデータ部分についてのＰＡＰＲ値を低減する位相回転シーケンスが計算され得る。
【００６８】
[0075]  図６Ａに、２つの基準のうちの１つに基づいて最適化された２、４および８ＭＨｚ帯域幅における位相回転シーケンスと、得られたＰＡＰＲ値とのチャート６００を示す。第１の基準は、パケットのＬＴＦ部分のＰＡＰＲ値を最小化するように設計された位相回転シーケンスである。列６０２は、所与のパケット帯域幅についてパケットのＬＴＦ部分のＰＡＰＲ値を最小化する位相回転シーケンスを示している。これらの位相回転シーケンスでは、各数が、３２個のサブキャリアのために使用されるべき位相回転係数を示すことに留意されたい。例えば、ＩＥＥＥ８０２．１１ａｈ規格では、各１ＭＨｚの帯域幅が３２個のサブキャリアに分割される。従って、２ＭＨｚパケットは６４個のサブキャリアを含み、４ＭＨｚパケットは１２８個のサブキャリアを含み、８ＭＨｚパケットは２５６個のサブキャリアを含む。従って、例えば、８ＭＨｚパケットのための位相回転シーケンスは、各数が、３２個の連続サブキャリアのために使用されるべき位相回転係数である、８つの異なる数を含む。例えば、８ＭＨｚ  ＤＵＰフレームのサブキャリアが−１２８から＋１２７までの番号を付けられ、［１  １  −１  −１  −１  −１  １  −１］の位相回転シーケンスが使用された場合、第１の３２個のサブキャリアと第２の３２個のサブキャリアの両方、すなわち、−１２８から−６５までのサブキャリアは１の位相回転係数を有するであろう。同様に、−６４から６３までのサブキャリアは−１の位相回転係数を有するであろう。６４から９５までのサブキャリアは１の位相回転係数を有するであろう。最後に、９６から１２７までのサブキャリアは−１の位相回転係数を有するであろう。
【００６９】
[0076]  列６０３は、所与の位相回転シーケンスを使用する所与の帯域幅のパケットについてのＰＡＰＲ値を与えている。帯域幅ごとに２つのＰＡＰＲ値、すなわち、パケットのＬＴＦ部分についての第１のＰＡＰＲ値と、パケットのデータ部分についての第２のＰＡＰＲ値とが与えられることに留意されたい。パケットのＬＴＦ部分は、予め定義された一連のシンボルであるので、パケットのこの部分についてのＰＡＰＲ値は、ＬＴＦの予め定義された一連のシンボルに基づいて計算される厳密な値である。しかしながら、パケットは任意のデータを含んでいることがあるので、パケットのデータ部分は変動し得ることに留意されたい。パケットは異なるデータを含んでいるので、パケットのデータ部分のＰＡＰＲ値は、パケット内のデータに基づいて変動することになる。パケットのデータ部分のＰＡＰＲ値を計算するために、異なるデータをもつ多数の異なる可能なパケットが生成された。これらのパケットは、与えられた位相回転に従ってそれぞれ回転され、これらのパケットの各々についてのＰＡＰＲ値計算された。これらのパケットの各々についてのＰＡＰＲ値は累積分布関数（ＣＤＦ：cumulative distribution function）に形成された。列６０３に記載されているＰＡＰＲ値は、所与の帯域幅の実際のパケットの９９．９８％のＰＡＰＲ値それより高いＰＡＰＲ値を表す。各パケットによって送信された異なるデータのために、パケットは、同じ位相回転シーケンスを用いた様々なＰＡＰＲレベルを有し得るが、パケットの０．０２％（１−２ｅ-4）のみが、パケットのデータ部分について、記載された値よりも高いＰＡＰＲ値を有することになる。
【００７０】
[0077]  同様に、列６０４は、パケットのデータ部分のＰＡＰＲ値を最小化するための、第２の基準に基づいて計算された位相回転シーケンスを含む。列６０５は、列６０４内のシーケンスを使用して求められたＰＡＰＲ値を含む。上記のように、パケットの約９９．９８％が、パケットのデータ部分について、記載されたＰＡＰＲ値よりも低いＰＡＰＲ値を有することになる。
【００７１】
[0078]  例えば、２つの同等の１ＭＨｚ周波数シーケンスを含んでいる２ＭＨｚ帯域幅信号の場合、データユニットのＬＴＦ部分のＰＡＰＲ値を最小化するための最適位相回転シーケンスは［１  １］であることが分かっている。この位相回転シーケンスが使用されるとき、パケットのＬＴＦ部分のＰＡＰＲ値は５．６６ｄＢになる。しかしながら、パケットのデータ部分についてのＰＡＰＲ値は１３．９７ｄＢになる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００７２】
[0079]  また、４つの同等の１ＭＨｚ周波数シーケンスを含んでいる４ＭＨｚ帯域幅信号の場合、データユニットのＬＴＦ部分のＰＡＰＲ値を最小化するための最適位相回転シーケンスは［１  １  １  −１］であることが分かっている。このシーケンスは、５．６０ｄＢのデータユニットのＬＴＦ部分についてのＰＡＰＲ値と、１３．２０ｄＢのデータシンボル部分についてのＰＡＰＲ値とを生じる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００７３】
[0080]  また、８つの同等の１ＭＨｚ周波数シーケンスを含んでいる８ＭＨｚ帯域幅信号の場合、データユニットのＬＴＦ部分のＰＡＰＲ値を最小化するための最適位相回転シーケンスは、［１  １  −１  −１  −１  −１  １  −１］または［１  −１  １  １  １  １  −１  −１］のいずれかであることが分かっている。これらのシーケンスの各々は、５．６０ｄＢのデータユニットのＬＴＦ部分についてのＰＡＰＲ値と、１３．２７ｄＢまたは１２．９０ｄＢのデータシンボル部分についてのＰＡＰＲ値とを生じる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００７４】
[0081]  図６Ａでは、位相回転シーケンスのための２つの基準が提示された。第１の基準では、パケットのＬＴＦ部分についてのＰＡＰＲ値が最小化された。第２の基準では、パケットのデータ部分についてのＰＡＰＲ値が最小化された。位相回転シーケンスはまた、ＤＵＰフレーム内のパケット／データユニットの他の部分のＰＡＰＲを最小化するように設計され得る。例えば、パケットの全ての部分のＰＡＰＲ値を低減することが望ましいことがある。しかしながら、いくつかの態様では、パケットのデータ部分についてのＰＡＰＲ値が、パケットの他の部分についてのＰＡＰＲ値よりも高いことがあるので、パケットのこの部分についてのＰＡＰＲ値を最小化することが望ましいことがある。例えば、図６Ａでは、パケットのデータ部分についてのＰＡＰＲ値が、７つの図示位相回転シーケンスのいずれの下でも、パケットのＬＴＦ部分についてのＰＡＰＲ値よりも高いことに留意されたい。例えば、ＤＵＰフレームのＬＴＦ部分とは異なり、ＤＵＰフレームのデータシンボルは前もって知られ得ないので、ＤＵＰフレームのデータシンボルのＰＡＰＲを低減することは、ＤＵＰフレームの他の部分のＰＡＰＲを低減することよりも複雑であり得る。従って、ＤＵＰフレーム内のデータシンボルのＰＡＰＲを低減するために、統計的方法を使用する必要があり得る。
【００７５】
[0082]  例えば、異なるデータシンボルをもつ多数の可能なＤＵＰフレームが構成され得る。これらのフレームは、ランダムに構成され得るか、ネットワークを介して送られた実際のＤＵＰフレームまたは他のフレームから取られ得るか、あるいはいくつもの方法で構成され得る。これらのフレームは、少なくとも部分的に、どの位相回転シーケンスがＤＵＰフレームのデータシンボルのＰＡＰＲを最も効果的に低減し得るかを判断することを支援するために使用され得る。例えば、データシンボル、またはパケットのデータセクションは、ランダムビット、および従って、ランダムコンスタレーションシンボルを使用して構成され得る。実際に一般的に使用されるコンスタレーションを使用することが有益であり得る。例えば、ＢＰＳＫコンスタレーションが、ＤＵＰフレームのために最も一般的に使用されるコンスタレーションである場合、ＢＰＳＫコンスタレーションを使用するデータシンボルをランダムに生成することが有益であり得る。これは、有益な位相回転シーケンスの判断において最良の情報を与え得る。このシステムでは、ＤＵＰフレームの各同等の周波数セグメントのための位相回転係数の探索が、値１、−１、ｊ、および−ｊのうちの１つであり得、ここで、ｊは−１の平方根である。この同じ探索空間が、ＬＴＦ  ＰＡＰＲ最小化フレーズ回転シーケンスならびにデータＰＡＰＲ最小化位相回転シーケンスの両方の探索のために使用され得る。
【００７６】
[0083]  ＤＵＰフレームテストのためのランダムに生成されたデータシンボルは、いくつかの方法で生成され得る。例えば、１ＭＨｚ帯域幅信号は３２個のサブキャリアまたはトーンを含んでいることがある。ＩＥＥＥ８０２．１１ａｈ規格によれば、これらの３２個のトーンは、２４個のデータトーンと、２つのパイロットトーンと、１つのＤＣトーンと、５つのガードトーンとを含み得る。これらのトーンのうち、２４個のデータトーンおよび２つのパイロットトーンは、異なるデータを搬送するパケットでは異なる情報を含んでいることがある。従って、未知のデータを含んでいるパケットをシミュレートするために、２４個のデータトーンおよび２つのパイロットトーンの各々についてＢＰＳＫシンボルまたはコンスタレーションをランダムに生成することは、これが送信におけるランダム情報をもつシンボルを表し得るので、有益であり得る。
【００７７】
[0084]  別のタイプのＤＵＰフレームは、「ＭＣＳ０（変調およびコーディング方式）ｒｅｐ２モード（反復モード２）」に基づいて生成されるパケットのデータ部分を使用し得る。ＭＣＳ０  ｒｅｐ２モードパケットは、より大きい距離にわたる、但しより遅いデータ転送レートでの通信を可能にするように設計される。例えば、ＩＥＥＥ８０２．１１ａｈ規格の下での通常（ＭＣＳ０データ）１ＭＨｚパケットは、各々が他のサブキャリアとは無関係にデータを搬送する、２４個のデータサブキャリアを含む。しかしながら、ＭＣＳ０  ｒｅｐ２パケットでは、データサブキャリアのうちの１２個が、他のサブキャリアとは無関係にデータを搬送するが、他の１２個のデータサブキャリアは、第１の１２個のデータサブキャリアから重複された同じデータビットを搬送する。第２の１２個のデータサブキャリアは、ＩＥＥＥ８０２．１１ａｈ仕様に記載されているように、ＰＡＰＲ値を低減するために、（ＸＯＲ）１２長マスキングシーケンスを使用してビットを搬送することに留意されたい。従って、所与の時間期間において、ＭＣＳ０  ｒｅｐ２パケットは半数の無関係のデータサブキャリアを搬送し、これは、データ送信レートを１／２に低減する。しかしながら、データサブキャリアは重複されるので、これは、そのようなＭＣＳ０  ｒｅｐ２パケットが、より大きく離れた場所にあるデバイスによって復号されることを可能にし、従って、そのようなＭＣＳ０  ｒｅｐ２パケットに増加した範囲を与える。ＭＣＳ０  ｒｅｐ２パケットはまた、ＤＵＰフレームで送信され得る。例えば、８つの同等の１ＭＨｚ周波数セグメントからなる８ＭＨｚ  ＤＵＰフレームが送信され得、１ＭＨｚ周波数セグメントの各々は、ＭＣＳ０  ｄｕｐ２パケットの重複したデータ構造を含み得る。従って、ＭＣＳ０  ｒｅｐ２パケットをシミュレートするために、１４個のＢＰＳＫシンボルのみをランダムに生成し、これらのＢＰＳＫシンボルのうちの２つをパイロットトーンとして使用することが望ましいことがあり、残りの１２個のＢＰＳＫシンボルは、反復モードで送信されるデータを表すために使用され得る。この手法は、第１の１２個のデータビットと、（ＸＯＲ）１２長マスキングシーケンスを使用して生成された第２の１２個のデータビットとの間に既知の数学的関係があるので、１２個の反復ビットの決定論的性質により、異なるＰＡＰＲ値および異なる最適位相回転シーケンスを生じ得る。
【００７８】
[0085]  見つかった位相回転シーケンスについて、シーケンスの重要な態様は、各々の値ではなく、互いに対するフレーズ回転シーケンスの係数間の関係であることに留意されたい。例えば、シーケンス［ｊ  −ｊ］、［−１  １］、［１  −１］は全て、単に互いの倍数であり、共通因数であるので、シーケンス［ｊ  −ｊ］はシーケンス［−１  １］または［１  −１］と同じである。従って、これらの位相回転シーケンスの各々からの得られたＰＡＰＲ値は同じになる。
【００７９】
[0086]  異なるデータシンボルをもつ多数のＤＵＰフレームが生成された後、どの位相回転シーケンスが、最大数のフレームについてのＰＡＰＲの最大の低減を与え得るかを判断するために、これらのＤＵＰフレームを分析することが有益であり得る。この分析は、極めて複雑であり、大量の計算能力を必要とし得る。この目的のために、できる限り多数の異なるＤＵＰフレームを分析することが有益であり得る。各ＤＵＰフレームおよび潜在的位相回転シーケンスについて、上記で説明したように、ＰＡＰＲ値が計算され得る。
【００８０】
[0087]  各ＤＵＰフレームおよび潜在的位相回転シーケンスについてのＰＡＰＲ値の分析は、いくつもの方法で行われ得る。例えば、多数の異なる統計的モデルまたは他のモデルが、このデータを分析するために使用され得る。例えば、各位相回転シーケンスについてのＰＡＰＲ値のための累積分布関数（ＣＤＦ）を生成することが有益であり得る。そのようなＣＤＦは、位相回転シーケンスについてのＰＡＰＲ値の分布における様々な点に対応するＰＡＰＲ値の計算を可能にし得る。例えば、このＣＤＦを使用して、所与の位相回転シーケンスによって生成され得る全ての異なるパケットの９９．９８％についてのＰＡＰＲ値に等しいかそれよりも大きいＰＡＰＲ値を識別することが可能であり得る。代替的に、所与の位相回転シーケンスによって生成された様々なパケットのＰＡＰＲ値の２５％、５０％（メジアン点）、７５％、９０％、または９９％よりも大きいＰＡＰＲ値に対応する点を識別することも可能である。
【００８１】
[0088]  多くの試行を通して、２つの同等の１ＭＨｚ周波数シーケンスを含んでいる２ＭＨｚ帯域幅信号の場合、データユニットのデータシンボル部分のＰＡＰＲを統計的に最小化するための最適位相回転シーケンスは［１  −１］であることが分かっている。このシーケンスは、６．５９ｄＢのデータユニットのＬＴＦ部分についてのＰＡＰＲと、１２．７４ｄＢのデータシンボル部分についてのＰＡＰＲとを生じる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００８２】
[0089]  パケットのデータ部分（すなわち、パケットのペイロードを含んでいるパケットの部分）についてのＰＡＰＲ値１２．７４ｄＢは、パケットのＬＴＦ部分についてのＰＡＰＲ６．５９ｄＢよりもはるかに高いことに留意されたい。パケットのデータ部分についてのＰＡＰＲ値が、パケットのＬＴＦ部分についてのＰＡＰＲ値よりもはるかに高いことがあるので、ＬＴＦ部分ではなく、パケットのデータ部分のＰＡＰＲ値を低減することに基づく位相回転シーケンスを使用することは、これが最も低い全体的ＰＡＰＲ値または最も低い最大ＰＡＰＲ値をもつパケットを作成し得るので、有益であり得る。すなわち、パケットのデータ部分のＰＡＰＲ値を最小化するように位相回転シーケンスを選定することは、パケットのより高いＰＡＰＲ値を低減し得る。
【００８３】
[0090]  多くの試行を通して、４つの同等の１ＭＨｚ周波数シーケンスを含んでいる４ＭＨｚ帯域幅信号の場合、パケットのデータ部分のＰＡＰＲ値を統計的に最小化するための最適位相回転シーケンスは［１  −１  １  １］であることが分かっている。このシーケンスは、６．０２ｄＢのパケットのＬＴＦ部分についてのＰＡＰＲ値と、１２．６１ｄＢのデータシンボル部分についてのＰＡＰＲ値とを生じる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００８４】
[0091]  多くの試行を通して、８つの同等の１ＭＨｚ周波数シーケンスを含んでいる８ＭＨｚ帯域幅信号の場合、パケットのデータ部分のＰＡＰＲ値を統計的に最小化するための最適位相回転シーケンスは［１  −１  １  −１  １  ｊ  −１  −１］であることが分かっている。このシーケンスは、９．０２ｄＢのパケットのＬＴＦ部分についてのＰＡＰＲ値と、１２．５５ｄＢのデータ部分についてのＰＡＰＲ値とを生じる。前述のように、パケットのデータ部分についての実際のＰＡＰＲ値は、パケット内に含まれているデータに依存する。しかしながら、パケットの０．０２％のみが、パケットのデータ部分について所与の値よりも高いＰＡＰＲ値を有することになる。
【００８５】
[0092]  いくつかの実施形態では、パケットのＬＴＦ部分のＰＡＰＲ値を最小化することに少なくとも部分的に基づく位相回転シーケンスを使用することが有益であり得る。また、パケットのデータ部分のＰＡＰＲ値を最小化することに少なくとも部分的に基づく位相回転シーケンスを使用することが有益であり得る。また、ＬＴＦ部分とデータ部分との間のＰＡＰＲ値の平均など、別のメトリックを最小化する位相回転シーケンスを選定すること、またはパケットのＬＴＦ部分とデータ部分の両方のＰＡＰＲ値に少なくとも部分的に基づいて位相回転シーケンスを選定することが有益であり得る。異なる帯域幅について異なる基準に従って位相回転シーケンスを選定することが有益であり得る。例えば、列６０４および列６０５に示されているように、チャート６００内の第２の基準（すなわち、パケットのデータ部分のＰＡＰＲ値を最小化する）に基づいて２および４ＭＨｚ帯域幅における位相回転シーケンスを選定することは、これらの位相回転シーケンスが、データユニットのＬＴＦ部分のＰＡＰＲとデータ部分のＰＡＰＲとの間の最良のトレードオフになり得るので、有益であり得る。しかしながら、８ＭＨｚ帯域幅で、ＬＴＦ部分のＰＡＰＲ値を最小化することに基づいて位相回転シーケンスを選定することは、この位相回転シーケンスが、パケットのデータ部分についてわずかにより大きいＰＡＰＲ値しか有さずに、ＬＴＦ部分についてはるかに小さいＰＡＰＲ値を可能にし得るので、有益であり得る。
【００８６】
[0093]  上記シーケンスの単にスケーリングされたバージョンである位相回転シーケンスが同じ結果を有することに留意されたい。例えば、ＩＥＥＥ８０２．１１ａｈ規格に基づいて送信される２ＭＨｚ  ＤＵＰフレームは、６４個のサブキャリア、すなわち１ＭＨｚの帯域幅ごとに３２個のサブキャリアを含んでいることになる。これらのサブキャリアは、−３２から＋３１までの番号を付けられ得る。上記のように、そのようなＤＵＰフレームのための位相回転シーケンスは［１  −１］であり得る。［１  −１］位相回転シーケンスは、−３２から−１までの番号を付けられる第１の３２個のサブキャリアが１の位相回転係数を有することを意味する。これは、位相回転を生じない。［１  −１］位相回転シーケンスは、０から＋３１までの番号を付けられる第２の３２個のサブキャリアが−１の位相回転係数を有することをさらに意味する。これは、πラジアンまたは１８０°の位相回転を生じる。しかしながら、このパケットについてのＰＡＰＲ値を計算する目的では、実際の位相回転が重要でない。そうではなく、その部分の、他の部分に対する位相回転が重要である。すなわち、第２の３２個のサブキャリアが第１の３２個のサブキャリアに関して１８０°回転されることが重要である。また、［−１  １］、［ｊ  −ｊ］、および［−ｊ  ｊ］など、［１  −１］のどのスケーリングされたバージョンからも同じ相対回転が達成されるであろう。従って、これらの位相回転係数の各々は機能において等価であり得る。
【００８７】
[0094]  図６Ｂに、２つの基準のうちの１つに基づいて最適化された２、４および８ＭＨｚ帯域幅における位相回転シーケンスと、得られたＰＡＰＲ値とのチャートを示す。このチャート６１０では、２つの最適化基準が、（列６１２および列６１３に示された）パケットのＬＴＦ部分のＰＡＰＲ値を最小化すること、または（列６１４および列６１５に示された）パケットのデータ部分のＰＡＰＲ値を最小化することのいずれかである。列６１２には、パケットのＬＴＦ部分についてのＰＡＰＲ値を最小化するシーケンスが表示されている。列６１３は、パケットのＬＴＦ部分についてのＰＡＰＲ値と、パケットのデータ部分についてのＰＡＰＲ値の両方を与えている。この場合、与えられたデータ値は、上記で説明したように、２６個のランダムに選定されたデータビット（２４個のデータトーンおよび２つのパイロットトーン）を含んでいるパケットについてのものであることに留意されたい。列６１４には、パケットのデータ部分のＰＡＰＲ値を最小化するフレーズ回転シーケンスが表示されている。列６１５には、それらの位相回転シーケンスを使用するパケットについて、パケットのＬＴＦ部分についてのＰＡＰＲ値と、２６個のランダムに選定されたデータビットを含んでいるパケットのデータ部分についてのＰＡＰＲ値と、上記で説明したように、１４個のデータビット（それぞれ２回送信される１２個のデータトーン、および２つのパイロットトーン）を含んでいるＭＣＳ０  ｒｅｐ２パケットのデータ部分についてのＰＡＰＲ値と含む、ＰＡＰＲ値が表示されている。
【００８８】
[0095]  チャート６１０では、ＭＣＳ０データが、２４個のデータトーンおよび２つのガードトーンの各々のための、２６個のランダムに生成されたビットを含んでいるパケットを表すことに留意されたい。しかしながら、ＭＣＳ０  ｒｅｐ２データは、２つのランダムに生成されたパイロットトーンと１２個のランダムに生成されたデータトーンとを含んでいるパケットを表し、ここで、データトーンは、２４個のデータトーンを満たすために２回反復される。ＭＣＳ０  ｒｅｐ２パケットの性質により、トーンの一部分は他のトーンに数学的に基づき（すなわち、データトーンは、２回送信され、ただし互いに対して回転される）、従って、ＭＣＳ０  ｒｅｐ２パケットのＰＡＰＲ値は、２４個の個々に変化するデータトーンを含んでいるＭＣＳ０パケットのＰＡＰＲ値とは異なり得る。
【００８９】
[0096]  列６１２と列６１４の両方で与えられた位相回転シーケンスは、図６の列６０２および列６０４で提示されたものと同等であることに留意されたい。これは、これらのチャートの両方において、位相回転シーケンスが、同じ条件、すなわち、ＬＴＦ部分のＰＡＰＲを最小化すること、またはＭＣＳ０データ部分のＰＡＰＲを最小化することのいずれかについて最適化されているからである。しかしながら、ＭＣＳ０データについて列６１３に記載されたＰＡＰＲ値は、列６０３に記載されたＰＡＰＲ値とは異なり、これは、これらの値が異なるＰＡＰＲしきい値であり、すなわち、列６１３および列６１５は、１−５ｅ-3点（すなわち、パケットの０．５％がより高いＰＡＰＲ値を有することになる）を記載しているが、列６０３は、１−２ｅ-4点（すなわち、パケットの０．０２％がより高いＰＡＰＲ値を有することになる）を記載しているからである。前述のように、パケットのデータ部分についての実際のＰＡＰＲ値は、パケット内に含まれているデータに依存する。しかしながら、パケットの０．５％のみが、パケットのデータ部分について、列６１３および列６１５内の所与の値よりも高いＰＡＰＲ値を有することになる。
【００９０】
[0097]  図６Ｃに、２つの基準のうちの１つに基づいて最適化された２、４および８ＭＨｚ帯域幅における位相回転シーケンスと、得られたＰＡＰＲ値とのチャートを示す。列６０２および列６１２の場合と同様に、列６２２は、パケットのＬＴＦ部分のＰＡＰＲ値を最小化するための最適位相回転シーケンスを示している。列６２３は、与えられた位相回転を使用するパケットのＬＴＦ部分についてのＰＡＰＲ値を記載しており、また、与えられた位相回転を使用するパケットのＭＣＳ０  ｒｅｐ２データ部分のＰＡＰＲ値を記載している。列６２４は、上記で説明したように、ＭＣＳ０  ｒｅｐ２パケットのデータ部分のＰＡＰＲ値を最小化するための最適位相回転シーケンスを示している。列６２５は、パケットのＬＴＦ部分、ＭＣＳ０データパケットのためのパケットのデータ部分、およびＭＣＳ０  ｒｅｐ２データパケットのためのパケットのデータ部分についてのＰＡＰＲ値を示している。列６１３および列６１５の場合と同様に、列６２３および列６２５に記載されたＰＡＰＲ値は、ランダムデータを含んでいるパケットについてＰＡＰＲ値の９９．５％よりも大きいＰＡＰＲ値を表す。
【００９１】
[0098]  例えば、２ＭＨｚ  ＤＵＰフレームでは、ＬＴＦ  ＰＡＰＲを最小化するための最良の位相回転シーケンスが［１  １］である。このシーケンスを使用すると、ＭＣＳ０  ｒｅｐ２パケットのデータ部分のＰＡＰＲ値は、９９．５％の確率で１４．０８ｄＢ以下になる。同様に、４ＭＨｚ  ＤＵＰフレームのパケットのＬＴＦ部分についてのＰＡＰＲ値を最小化するための最適位相回転シーケンス［１  １  １  −１］の場合、ＭＣＳ０  ｒｅｐ２パケットのデータ部分のＰＡＰＲ値は、９９．５％の確率で１３．２５ｄＢ以下になる。８ＭＨｚ  ＤＵＰフレームでは、パケットのＬＴＦ部分のＰＡＰＲ値を最小化するための最良の位相回転シーケンスが、［１  １  −１  −１  −１  −１  １  −１］および［１  −１  １  １  １  １  −１  −１］である。これらの位相回転シーケンスは、それぞれ、９９．５％の確率で１２．９５ｄＢおよび１２．９４ｄＢ以下のＭＣＳ０  ｒｅｐ２パケットのデータ部分のＰＡＰＲ値を生じる。
【００９２】
[0099]  ２ＭＨｚ  ＤＵＰフレームでは、列６２４に示されているように、ＭＣＳ０  ｒｅｐ２パケットのデータ部分のＰＡＰＲ値を最小化するための最適位相回転シーケンスが［１  −１］である。この位相回転シーケンスを使用すると、パケットのＬＴＦ部分のＰＡＰＲ値は６．５９ｄＢになり、ＭＣＳ０パケットウィルのデータ部分のＰＡＰＲ値は、９９．５％の確率で１１．６５ｄＢを下回り、ＭＣＳ０  ｒｅｐ２パケットのデータ部分のＰＡＰＲ値は、９９．５％の確率で１２．０９ｄＢを下回ることになる。
【００９３】
[0100]  ４ＭＨｚ  ＤＵＰフレームでは、ＭＣＳ０  ｒｅｐ２パケットのデータ部分のＰＡＰＲ値を最小化するための最適位相回転シーケンスが［１  ｊ  −ｊ  −１］である。この位相回転シーケンスを使用すると、パケットのＬＴＦ部分のＰＡＰＲ値は６．５９ｄＢになり、ＭＣＳ０パケットのデータ部分のＰＡＰＲ値は、９９．５％の確率で１１．５８ｄＢを下回り、ＭＣＳ０  ｒｅｐ２パケットのデータ部分のＰＡＰＲ値は、９９．５％の確率で１１．８１ｄＢを下回ることになる。
【００９４】
[0101]  ８ＭＨｚ  ＤＵＰフレームでは、ＭＣＳ０  ｒｅｐ２パケットのデータ部分のＰＡＰＲ値を最小化するための最適位相回転シーケンスが［１  −１  １  −１  １  −１  −１  −１］である。この位相回転シーケンスを使用すると、パケットのＬＴＦ部分のＰＡＰＲ値は１０．１１ｄＢになり、ＭＣＳ０パケットのデータ部分のＰＡＰＲ値は、９９．５％の確率で１１．５８ｄＢを下回り、ＭＣＳ０  ｒｅｐ２パケットのデータ部分のＰＡＰＲ値は、９９．５％の確率で１２．２２ｄＢを下回ることになる。
【００９５】
[0102]  どの位相回転シーケンスを使用すべきかを選定する際に、パケットのＬＴＦ部分、ならびにＭＣＳ０パケットとＭＣＳ０  ｒｅｐ２パケットの両方のデータ部分の各々のＰＡＰＲ値を考慮することが有益であり得る。開示される各位相回転シーケンスは、いくつかのタイプのパケット／データユニットについての、またはデータユニットの少なくともいくつかの部分についてのＰＡＰＲ値を下げ得るが、他のタイプのデータユニットについての、またはデータユニットの少なくともいくつかの他の部分についてのＰＡＰＲ値を上げ得る。いくつかの実施形態では、どの位相回転シーケンスが、パケットのＬＴＦ部分、ＭＣＳ０パケットのデータ部分、およびＭＣＳ０  ｒｅｐ２パケットのデータ部分の各々についてのＰＡＰＲ値の最良の組合せを与えるかに基づいて、位相回転シーケンスを選定することが有益であり得る。例えば、８ＭＨｚ  ＤＵＰフレームのＬＴＦ部分のＰＡＰＲ値を最適化する位相回転シーケンスは、ＭＣＳ０パケットおよびＭＣＳ０  ｒｅｐ２パケットのデータ部分について、わずかにより高いＰＡＰＲ値しか生じずに、それらのパケットのＬＴＦ部分について、他の位相回転係数よりもはるかに低いＰＡＰＲ値を生じ得る。従って、いくつかの実施形態では、８ＭＨｚ  ＤＵＰフレームのために、パケットのＬＴＦ部分についてのＰＡＰＲ値を最小化する位相回転シーケンスを選定することが有益であり得る。同様の考慮が、４ＭＨｚ  ＤＵＰフレームのための位相回転シーケンスを選定する際に行われ得る。いくつかの実施形態では、ＭＣＳ０パケットまたはＭＣＳ０  ｒｅｐ２パケットなど、どのタイプのデータユニットがＤＵＰフレームで見つかる可能性が最も高いかに少なくとも部分的に基づいて、位相回転シーケンスを選定することが好ましいことがある。
【００９６】
[0103]  図７に、ＤＵＰフレームを生成し、送信するための例示的な方法の一態様のフローチャートを示す。本方法は、ＡＰなどのデバイスによって行われ得る。
【００９７】
[0104]  ブロック７０２において、ＡＰは、２、４、または８ＭＨｚのフレーム帯域幅を選択する。例えば、ＡＰは、ローカルエリアにおいて利用可能である帯域幅、ネットワーク上の他のデバイスが使用するように構成され得る帯域幅に基づいて、または他のファクタに基づいて、この帯域幅を選択し得る。選択された帯域幅は、フレーム帯域幅にわたって重複されたいくつかの同等の１ＭＨｚフレームセグメントを含む重複フレームの送信のために使用されることになる。例えば、これらの１ＭＨｚフレームセグメントは、いくつかの隣接する１ＭＨｚチャネルにわたって重複され得る。いくつかの態様では、フレーム帯域幅が、ＡＰの動作チャネル幅よりも小さいことがある。これらの場合、ＡＰは、１次２ＭＨｚ、４ＭＨｚ、または８ＭＨｚチャネルなど、指定された帯域幅の１次チャネルを使用してフレームを送信し得る。フレームは、重複したＲＴＳ−ＣＴＳフレーム、または重複したＣＴＳフレームを含み得る。いくつかの態様では、フレーム帯域幅を選択するための手段がプロセッサを含み得る。
【００９８】
[0105]  ブロック７０４において、ＡＰは、選定された帯域幅に少なくとも部分的に基づいてフレーズ回転シーケンスを選択するために、どの帯域幅が選定されたかを判断する。ブロック７０６において、選定されたフレーム帯域幅が２ＭＨｚである場合、［１  −１］の位相回転シーケンスを選定する。ブロック７０８において、選定されたフレーム帯域幅が４ＭＨｚである場合、［１  ｊ  −ｊ  −１］の位相回転シーケンスを選定する。ブロック７１０において、選定されたフレーム帯域幅が８ＭＨｚである場合、［１  −１  １  １  １  １  −１  −１］の位相回転シーケンスを選定する。これらのブロックの各々において、与えられた位相回転シーケンスに従って、様々なインデンティカル周波数セグメントが互いに対して回転されることになる。各ブロックにおいて、回転はまた、与えられた位相回転シーケンスの倍数に従って行われ得る。例えば、２ＭＨｚフレーム帯域幅の場合、［−１  １］の位相回転シーケンスも、これが−１を乗算した［１  −１］であるので、使用され得る。いくつかの態様では、位相回転シーケンスの倍数に基づいてフレームの様々なセグメントを回転させることが、与えられた位相回転シーケンスに基づいて周波数セグメントを回転させることと同じであり得る。いくつかの態様では、これらの特定の位相回転シーケンスが、異なる可能な重複フレームの大部分について重複フレームのＰＡＰＲを最小化し得る。いくつかの態様では、位相回転シーケンス選択のための手段がプロセッサであり得る。
【００９９】
[0106]  ブロック７１２において、ＡＰは、複数の同等の１ＭＨｚ周波数セグメントを有する、選択された帯域幅のフレームを生成し、ここにおいて同等の周波数セグメントのうちの少なくとも１つは、選択された位相回転シーケンスに基づいて、少なくとも１つの他の同等の周波数セグメントに関して回転される。例えば、これらの回転は、与えられた位相回転シーケンスまたはそれらのシーケンスの倍数のいずれかに基づき得る。フレームは、２、４または８つの同等の１ＭＨｚ周波数セグメントを含む、２、４または８ＭＨｚフレームであり得る。これらの同等の周波数セグメントの各々は何回か重複され得、コピーの一部または全部は互いに対して回転される。いくつかの態様では、この回転が、重複フレームのＰＡＰＲを低減するために行われ得る。いくつかの態様では、１ＭＨｚ周波数セグメントの各々が３２個のサブキャリアを含み得る。いくつかの態様では、フレームを生成するための手段がプロセッサを含む。
【０１００】
[0107]  ブロック７１４において、ＡＰは、１つまたは複数の回転された同等の周波数セグメントを含んでいるフレームを送信する。いくつかの態様では、フレームを送信するための手段が送信機を含み得る。例えば、いくつかの態様では、ＡＰが、２つの隣接する１ＭＨｚチャネルを使用して、１ＭＨｚ重複ＰＰＤＵ（またはフレーム）を送信し得る。ＡＰの動作チャネルが２ＭＨｚよりも広い場合、送信はＡＰの１次２ＭＨｚチャネルで送信していることがある。そのような２ＭＨｚ送信の場合、使用される位相回転シーケンスは［１  −１］であり得る。いくつかの態様では、ＡＰが、４つの隣接する１ＭＨｚチャネルを使用して、１ＭＨｚ重複ＰＰＤＵ（またはフレーム）を送信し得る。ＡＰの動作チャネルが４ＭＨｚよりも広い場合、送信はＡＰの１次４ＭＨｚチャネル内で送信していることがある。そのような４ＭＨｚ送信の場合、使用される位相回転シーケンスは［１  ｊ  −ｊ  −１］であり得る。いくつかの態様では、ＡＰが、８つの隣接する１ＭＨｚチャネルを使用して、１ＭＨｚ重複ＰＰＤＵ（またはフレーム）を送信し得る。ＡＰの動作チャネルが８ＭＨｚよりも広い場合、送信はＡＰの１次８ＭＨｚチャネル内で送信していることがある。そのような８ＭＨｚ送信の場合、使用される位相回転シーケンスは［１  −１  １  １  １  １  −１  −１］であり得る。
【０１０１】
[0108]  本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利なワイヤレスデバイスとして使用され得る。従って、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を含み得る。
【０１０２】
[0109]  情報および信号は多種多様な技術および技法のいずれかを使用して表され得ることを、当業者は理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０３】
[0110]  さらに、本明細書で開示した態様に関して説明した様々な例示的な論理ブロック、モジュール、プロセッサ、手段、回路、およびアルゴリズムステップのいずれも、電子ハードウェア（例えば、ソースコーディングまたは何らかの他の技法を使用して設計され得る、デジタル実装形態、アナログ実装形態、またはそれら２つの組合せ）、複数の命令を組み込んだ様々な形態のプログラムまたは設計コード（便宜上、本明細書では「ソフトウェア」または「ソフトウェアモジュールと呼ぶことがある）、あるいはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１０４】
[0111]  本明細書で開示した態様に関して、および図１〜図７に関して説明した様々な例示的な論理ブロック、モジュール、および回路は、集積回路（ＩＣ）、アクセス端末、またはアクセスポイント内に実装され得るか、またはそれらによって行われ得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気的構成要素、光学的構成要素、機械的構成要素、または本明細書で説明した機能を行うように設計されたそれらの任意の組合せを含み得、ＩＣの内部に、ＩＣの外部に、またはその両方に常駐する複数のコードあるいは複数の命令を実行し得る。論理ブロック、モジュール、および回路は、ネットワーク内またはデバイス内の様々な構成要素と通信するためにアンテナおよび／またはトランシーバを含み得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。モジュールの機能は、本明細書で教示した方法とは別の何らかの方法で実装され得る。（例えば、添付の図の１つまたは複数に関して）本明細書で説明した機能は、いくつかの態様で、添付の特許請求の範囲において同様に指定された「手段」機能に対応し得る。
【０１０５】
[0112]  ソフトウェアで実装される場合、機能は、１つまたは複数の命令またはコードとしてコンピュータ可読媒体上に記憶されるか、あるいはコンピュータ可読媒体を介して送信され得る。本明細書で開示した方法またはアルゴリズムのステップは、コンピュータ可読媒体上に常駐し得る、プロセッサ実行可能ソフトウェアモジュールで実装され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。さらに、方法またはアルゴリズムの動作は、コンピュータプログラム製品に組み込まれ得る、機械可読媒体およびコンピュータ可読媒体上の複数のコードおよび複数の命令の１つまたは任意の組合せ、あるいはそのセットとして常駐し得る。
【０１０６】
[0113]  開示したプロセス内のステップの特定の順序または階層は例示的な手法の一例であることを理解されたい。設計上の選好に基づいて、プロセス内のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１０７】
[0114]  本開示で説明した実装形態への様々な修正は当業者には容易に明らかであり得、本明細書で定義した一般原理は、本開示の趣旨または範囲から逸脱することなく他の実装形態に適用され得る。従って、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明するいかなる実装形態も、必ずしも他の実装形態よりも好ましいまたは有利であると解釈されるべきではない。
【０１０８】
[0115]  また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１０９】
[0116]  同様に、動作は特定の順序で図面に示されているが、これは、望ましい結果を達成するために、そのような動作が、示される特定の順序でまたは順番に行われることを、あるいは全ての図示の動作が行われることを必要とするものとして理解されるべきでない。いくつかの状況では、マルチタスキングおよび並列処理が有利であり得る。その上、上記で説明した実装形態における様々なシステム構成要素の分離は、全ての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で行われて、依然として望ましい結果を達成できる。
【図１】
2016504839.tif 000005
【図２】
2016504839.tif 000006
【図３】
2016504839.tif 000007
【図４】
2016504839.tif 000008
【図５】
2016504839.tif 000009
【図５Ａ】
2016504839.tif 000010
【図６Ａ】
2016504839.tif 000011
【図６Ｂ】
2016504839.tif 000012
【図６Ｃ】
2016504839.tif 000013
【図７】
2016504839.tif 000014
【国際調査報告】
2016504839.tif 000015
2016504839.tif 000016
2016504839.tif 000017